(57)【要約】【課題】  傘を使用する時には、少なくとも片方の手で傘を持つ必要があるため、買い物、子どもの手をつなぐ、犬の散歩などに不便が多かった。それを解消するため、身体に傘を安全に固定する品物を作るのが目的である。【解決手段】  身体に傘を安全に固定するため、サイズ調節可能なジャケット型ベルトに、傘の柄の長さや持ち手の形状に対応する３段式ポケットを一体化させ、柄を固定するためのぬいぐるみ型クリップを組み合わせたものを開発した。【選択図】  図１
2005048346.tif 000002
【特許請求の範囲】
【請求項１】
ジャケット型ベルトにポケットとクリップを組み合わせた、傘を固定するもの。
【発明の詳細な説明】
【発明の詳細な説明】
【技術分野】
【０００１】  この発明は、ジャケット型のベルト（１）に、傘の持ち手を固定する３段式のポケット（２）を縫合し、身体の側面のアジャスターにて装着者の体格に応じサイズを調節（３）、ぬいぐるみ型の大型クリップ（４）にて傘の柄を固定するものである。頸部を守る襟（５）、ベルト内部に鎖骨を守るパッド（６）を添付し、ぬいぐるみでクリップを覆うことで安全性を高めた。本体部とベルト部の結合には別部品による取り付け部を介し余裕を持たせることで、身体への圧迫を軽減した（７）。背中を覆う部分にはメッシュを採用し、通気性に配慮した（８）。なお、この発明は、走った時や自転車等の乗り物乗車時の使用は安全のため目的外とする。
【背景技術】
【０００２】  従来は、傘を使用する時に、少なくとも片方の手で傘を持つ必要があるため、買い物、子どもの手をつなぐ、犬の散歩などに不便が多かった。
【発明が解決しようとする課題】
【０００３】  本発明は、その不便を解消するために、身体に傘を安全に固定することを課題として研究を進めた。
【課題を解決するための手段】
【０００４】  歩行時及び静止時、傘を身体に固定するには、サイズ調節可能なジャケット型ベルトに、傘の柄の長さや持ち手の形に対応する３段式ポケットを一体化させ、柄を固定する安全なぬいぐるみで覆った大型クリップを組み合わせるのが最上であることを発見した。
【発明を実施するための最良の形態】
【０００５】  本発明は、当初、傘を固定する側の肩に輪状のバンドをはめ、そのバンドに取り付けられたスナップ式の固定具に傘を取り付けるというものであった。静止している場合にはその固定法でも良かったが、歩行時には揺れが大きく、すぐに傘の向きが変わってしまうことが判明した。またスナップ式の固定具では装着時に手間がかかることと、保持力に難があることも判明した。
そこで、「着る」方式のジャケット型ベルト（１）を採用、身体を覆うことによって揺れを軽減することに成功した。このジャケットは、肩と両脇の間の部分に腕を通してから身体の前でバックルを閉めることにより、片方の手でも容易に着脱ができる。本体部はキルティング布地を使用し、柔らかさと剛性を両立している。また脇の部分にアジャスターを設け、体格にあわせて調節が可能とした（３）。バックルやアジャスターの付くベルト部は、身体を圧迫するのを軽減するため、本体部とは別部品で取り付け基部を設け、身体に対し柔軟にベルトが沿うようにした（７）。本体部の肩から背中にかけては、補強のために従来からあるシャツの形を参考にした。また、通気性を良くするために背中の部分はメッシュを採用している（８）。
傘の柄の固定具については、着脱の容易さを優先してクリップ式にすることが前提となった。これは、従来からあるコアラのマスコット人形がヒントとなった。最初は傘の持ち手ごと柄を保持する大型のクリップを考案した。高い保持力が期待できるものだったが、予想外にサイズが大きくなり（３０ｃｍくらい）、見た目も不格好なものになった。
その後、本体側にポケットを設け、そのポケットには傘の持ち手を挿入、クリップで柄の部分を保持することにより、小型のクリップでも十分な保持力と容易な着脱が両立できることが判明した。ポケットは当初、内部にマジックテープを取り付けて深さを調節することによって、傘の長さや持ち手の形状に対応していた。しかし、丸形のポケットを３段設けることによってより高い効果を得た（２）。クリップは試作品では市販の洗濯バサミを改造したものを使用した。動物型のぬいぐるみ（ボア布を使用）で覆うことにより、指を挟んだ場合などの安全性を高め、見た目にも配慮した（４）。ぬいぐるみは頭部を大きくデザインすることにより、クッションとしての安全性能をより高めている。また、クリップをボア布で覆うことは、挟み込む対象物（この場合、傘の柄とベルト本体部）に対する摩擦力を高める効果を生み出した。
試作品のひな形を装着してみると、傘の柄が頸部や鎖骨の部分にあたることが判明した。頸部に傘の柄が触れることは不快であるし、転倒時には危険であるため、頸部には襟（５）を、鎖骨のあたる部分には本体内側に保護パッド（６）を添付した。
本体部とぬいぐるみ型クリップの取り付けは、当初、固定またはスナップによる取り付けを予定していたが、実験の結果、クリップで本体部も挟み込むことが最上と判明した。転倒時や走った時、危険を伴う使用（自転車やバイクへの乗車時等、本発明の目的外・用途外の使用）、また強風時において、通常以上の負荷がかかると傘が身体から外れることにより、安全を確保できるためである。また、この取り付け方なら傘の長さに応じて任意に取り付け場所を変えられるという利点もある。
【発明の効果】
【０００６】  本発明は以上のような構成により、傘を手に持つことから解放されるため、両手に荷物を持つことなどが可能となった。ハンディキャップのため傘を使用できなかった方も、着脱時の補助があれば傘を使用することができる。また、傘を手で持つ場合よりも傘の中心を身体に近づけることになるので、小さな傘でも雨に濡れる範囲が少なくなる効果が期待できる。本発明は雨天時の傘の使用に対するものとして進められたが、晴天時に日傘を使用する場合にも対応可能である。
【図面の簡単な説明】
【図１】本発明の使用状況・前面
【図２】本発明の使用状況・側面
【図３】本発明の使用状況・背面
【図４】ジャケット型ベルト外観図
【図５】３段式ポケット構造図
【図６】ポケット使用図
【図７】ぬいぐるみ型クリップの外観図及び内部構造図
【図８】市販品洗濯バサミの改造
【図９】クリップ部安全性向上案
【図１０】頸部保護襟と鎖骨保護パッドの位置図
【図１１】ベルト取り付け基部
【図１２】正面及び左側面図
【図１３】右側面及び背面図
【符号の説明】
１はジャケット型ベルト      ２は３段式ポケット
３は身体側面部アジャスター  ４はぬいぐるみ型クリップ
５は頸部保護襟              ６は鎖骨保護パッド
７はベルト取り付け基部      ８は背面通気用メッシュ
【図１】
2005048346.tif 000003
【図２】
2005048346.tif 000004
【図３】
2005048346.tif 000005
【図４】
2005048346.tif 000006
【図５】
2005048346.tif 000007
【図６】
2005048346.tif 000008
【図７】
2005048346.tif 000009
【図８】
2005048346.tif 000010
【図９】
2005048346.tif 000011
【図１０】
2005048346.tif 000012
【図１１】
2005048346.tif 000013
【図１２】
2005048346.tif 000014
【図１３】
2005048346.tif 000015